(57)【要約】      （修正有）【課題】予備品の在庫状況を回答する在庫管理システムにおいて、各予備品の入手可能期間についての推測情報を需要者に提供する。【解決手段】複数の設備の保全のための予備品を一括して管理し、各設備からの問い合わせ入力に応じて予備品の在庫状況を回答する在庫管理システムであって、必要な予備品の在庫状況の問い合わせを入力することのできる需用者端末２と、在庫状況を格納した在庫品データベース、各予備品の出庫履歴データベースを具備したサーバ装置１を備え、該サーバ装置は、需用者端末からの問い合わせに応じて、在庫品データベースを検索して問い合わせのあった予備品の現在の員数を含む在庫状況を取得し、さらに出庫履歴データベースを検索して問い合わせのあった予備品の過去の出庫履歴を取得し、取得した前記予備品の在庫状況、並びに予備品の出庫履歴および予備品の員数をもとに予備品の出庫可能期間を演算して前記需用者端末に回答する。【選択図】図１
2010134750.tif 000002
【特許請求の範囲】
【請求項１】
複数の設備の保全のため各設備に共通に利用可能な予備品を一括して管理し、予備品を必要とする各設備からの問い合わせ入力に応じて予備品の在庫状況を回答する在庫管理システムであって、
入手が必要な予備品の在庫状況の問い合わせを入力することのできる需用者端末と、
予備品の員数を含む在庫状況を格納した在庫品データベース、各予備品の過去の出庫履歴を格納した出庫履歴データベースを具備したサーバ装置を備え、
該サーバ装置は、前記需用者端末からの問い合わせに応じて、前記在庫品データベースを検索して問い合わせのあった予備品の現在の員数を含む在庫状況を取得し、
さらに出庫履歴データベースを検索して問い合わせのあった予備品の過去の出庫履歴を取得し、
取得した前記予備品の在庫状況、並びに予備品の出庫履歴および予備品の員数をもとに予備品の出庫可能期間を演算して前記需用者端末に回答することを特徴とする在庫管理システム。
【請求項２】
請求項１記載の在庫管理システムにおいて、
前記予備品は、発電プラントがプラント設備保全のために保管する予備品であることを特徴とする在庫管理システム。
【請求項３】
請求項１記載の在庫管理システムにおいて、
前記サーバ装置は前記データベースを管理する管理用端末を備え、該端末は前記予備品の製造者側に配置したことを特徴とする在庫管理システム。
【請求項４】
請求項１記載の在庫管理システムにおいて、
前記予備品の員数は余剰品を含む員数であることを特徴とする在庫管理システム。
【請求項５】
サーバを備え、複数の設備の保全のため各設備に共通に利用可能な予備品を一括して管理し、予備品を必要とする各設備からの問い合わせに応じて予備品の在庫状況を回答する在庫管理方法であって、
入手が必要な予備品の在庫状況の問い合わせ入力を需用者端末を介して受信しサーバに送信する工程と、
前記需用者端末からの問い合わせ入力に応じて、前記在庫品データベースを検索して問い合わせのあった予備品の現在の員数を含む在庫状況を取得する工程と、
出庫履歴データベースを検索して問い合わせのあった予備品の過去の出庫履歴を取得する工程と、
予備品の出庫履歴および予備品の現在の員数をもとに予備品の出庫可能期間を演算する工程と、
取得した前記予備品の在庫状況および出庫可能期間を前記需用者端末に回答する工程を備えたことを特徴とする在庫管理方法。
【請求項６】
請求項５記載の在庫管理方法において、
前記予備品は、発電プラントがプラント設備保全のために保管する予備品であることを特徴とする在庫管理方法。
【発明の詳細な説明】
【技術分野】
【０００１】
本発明は、在庫管理システムにかかり、特に、複数の需用者が共通に使用する予備品を管理する在庫管理システムに関する。
【背景技術】
【０００２】
産業用あるいは事業用などの装置、例えば発電プラントは、長期に渡って安定した運用が求められる。このため、保守点検において必要となる消耗品、予備品等の確保は重要である。一般に装置の管理者は、安全性の確保、稼働率の向上などを考慮し、かつ保守点検に割り当てられた費用の範囲で、どの消耗品、予備品が重要かを判断選定して、これらの部品を調達保管している。
【０００３】
ところで、装置の運用計画から必要量を予め計画できる消耗品や定期交換部品と異なり、部品故障時の交換を想定して確保する予備品の場合は、実際にどの型式の予備晶が、どれだけの数量必要となるかを事前に予測することは困難である。特に、個々の事業者単位で予備品を選定し確保する方式では、手配した部品の実使用員数が少なく余剰が発生し、あるいは実使用量が多くて、追加手配が必要となる場合がある。
【０００４】
特に、長期に渡り運用される装置では、運用期間のある時点から予備品の入手が困難となることも多い。これは、装置そのものの耐用年数にかかわらず、構成部品の製造中止が運用期間の終わりよりも早い時期に来てしまう場合などに発生する。このような場合には、構成部品の種類にもよるが、装置機能の縮退、安全性の低下、あるいは装置の運転停止などが余儀なくされることがある。
【０００５】
装置を提供したメーカの中には、こうした問題に対し部品提供中止予定の事前の通知と合わせて、装置の全体もしくは部分を更新する提案を行い、運用の継続をサポートするところのもある。しかし、装置の更新に要する費用、期間は、予備品が入手できる場合の購入、交換に要する費用、期間に比して大きくなることが多い。
【０００６】
そこで、余剰品を持つ事業者が設備保全用予備品取引システムに、余剰となっている部品の型式を事前に登録し、部品が不足した事業者が設備保全用予備品取引システムに型式を指定して問合せると、同一型式の余剰品を保有している事業者名を紹介するシステムが提案されている（特許文献１参照）。
【特許文献１】特開２００２−７３８３２号公報
【発明の開示】
【発明が解決しようとする課題】
【０００７】
前記従来技術によれば、余剰な予備品の登録と検索手段が提供される。しかし、装置の長期の保守計画を策定する際に必要となる部品がどの程度の期間に渡り入手可能であるのか（推定提供可能期間）を調査確認するには多大な労力を要する。
【０００８】
また、従来の技術においては、各需要者はネットワークを介して他の需用者と接続され、かつ各需用者は自らが予備品を保管維持する形態を想定しており、余剰な予備品の取引に際しては需要者間で価格交渉を行うことを前提としている。
【０００９】
これに対し、複数の需用者および予備品の製造者がアクセス可能なサーバを配置し、該サーバを用いて、複数の需要者のために共同で予備品を保管し維持管理する仕組みを用意し、需要者に対しては予め決められた単価にて提供することを可能とすれば、需要者は、余剰品を持つ他の需要者を容易に探すことができ、探した他の需用者と価格交渉をする必要も無く容易に予備品を入手することが可能となる。なお、このような予備品共通管理システム（サーバ）は、部品を製造する製造者が構築しても良いし、需要者が構築しても良い。
【００１０】
本発明は以上の点に鑑みてなされたもので、装置の長期保守計画の策定において必要となる予備品を一括して管理する在庫管理システムにおいて、各予備品入手可能期間についての推測情報を需要者に提供することのできる在庫管理システムを提供するものである。
【課題を解決するための手段】
【００１１】
本発明は上記課題を解決するため、次のような手段を採用した。
【００１２】
複数の設備の保全のため各設備に共通に利用可能な予備品を一括して管理し、予備品を必要とする各設備からの問い合わせ入力に応じて予備品の在庫状況を回答する在庫管理システムであって、入手が必要な予備品の在庫状況の問い合わせを入力することのできる需用者端末と、予備品の員数を含む在庫状況を格納した在庫品データベース、各予備品の過去の出庫履歴を格納した出庫履歴データベースを具備したサーバ装置を備え、該サーバ装置は、前記需用者端末からの問い合わせに応じて、前記在庫品データベースを検索して問い合わせのあった予備品の現在の員数を含む在庫状況を取得し、さらに出庫履歴データベースを検索して問い合わせのあった予備品の過去の出庫履歴を取得し、取得した前記予備品の在庫状況、並びに予備品の出庫履歴および予備品の員数をもとに予備品の出庫可能期間を演算して前記需用者端末に回答する。
【発明の効果】
【００１３】
本発明は、以上の構成を備えるため、装置の長期保守計画の策定において必要となる予備品を一括して管理し、予備品を必要とする各設備からの問い合わせ入力に応じて予備品の在庫状況を回答する在庫管理システムにおいて、各予備品の入手可能期間についての推測情報を需要者に提供することができる。
【発明を実施するための最良の形態】
【００１４】
以下、最良の実施形態を添付図面を参照しながら説明する。図１は、予備品の在庫管理を行う本実施形態にかかる在庫管理システムを説明する図である。図１において、１は、予備品の在庫を管理するサーバ装置（在庫管理サーバ装置）であり、ネットワーク３を介して予備品の購入を検討する複数の需要者の端末２（需要者端末）と接続される。なお、ネットワーク３を介して予備品を製造する製造者端末と接続することができる。
【００１５】
図２は、在庫管理サーバ１の詳細を説明する図である。図に示すように、在庫管理サーバ装置１は、検索抽出プログラム部１１、データベース部１２及び登録演算処理部１３を備える。検索抽出プログラム部１１は、部品仕様検索手段１１１、互換品検索手段１１２、在庫品検索手段１１３、出庫履歴検索手段１１４を備える。
【００１６】
前記在庫管理サーバ装置内のデータベース部１２は、需要者名データベース１２１、製造者名データベース１２２、部品名データベース１２３、互換品データベース１２４、在庫品データベース１２５、出庫履歴データベース１２６を備える。
【００１７】
前記登録演算処理部１３は、在庫管理サーバ装置内の各データベースにそれぞれ情報を登録する情報登録部１３１、需要者インタフェース部１３２、推定提供可能期間計算部１３３、及び在庫の変動を記録する記録管理部１３４を有する。
【００１８】
図３は、在庫管理サーバ装置内のデータベース部１２の中の各データベースのデータの形式を示した構成図である。
【００１９】
図３において、需要者名データベース１２１は、需要者である事業者名についてのデータベースであり、各需要者に割り振られた需要者一貫番号である属性「需要者ＩＤ」４０１、および各需要者の通称あるいは正式名称である属性「需要者名」４０２を含む。
【００２０】
製造者データベース１２２は、各部品の製造者についてのデータベースであり、各製造者に割り振られた一貫番号である属性「製造者ＩＤ」４０３、および各製造者の通称あるいは正式名称である属性「製造者名」４０４を含む。
【００２１】
部品名データベース１２３は、各部品についてのデータベースであり、各部品に割り振られた部品一貫番号である属性「部品ＩＤ」４０５、部品型式である属性「部品型式」４０６、部品の製造者である「製造者ＩＤ」４０３、部品の技術仕様がわかる部品技術仕様書の一貫番号の属性「仕様書ＩＤ」４０７、及び部品の単価である「部品単価」４１３を含む。なお、一の製造者は他の製造者（製造者ＩＤの異なる製造者）のデータが閲覧できないように設定しておくのが望ましい。
【００２２】
互換品データベース１２４は、各部品と互換性のある部品についてのデータベースであり、各部品の「部品ＩＤ」４０５と、それと互換性のある別型式の部品である「部品ＩＤ」４０８、該互換性のある別型式の部品を使用する際に必要とされる改造作業の有無を示す属性「改造要否」４０９、改造が必要な場合の改造手順がわかる改造説明書の一貫番号「改造説明書ＩＤ」４１０を含む。
【００２３】
在庫品データベース１２５は、在庫管理サーバが管理している在庫品についてのデータベースであり、一貫番号の属性「在庫品ＩＤ」４１１、当該部品の前記「部品ＩＤ」４０５、および部品の保有員数の属性「部品員数」４１２が含まれる。
【００２４】
出庫履歴データベース１２６は、各部品の過去の出庫履歴についてのデータベースであり、各部品の前記の「部品ＩＤ」４０５、部品を出庫した月日の属性「出庫日」４１４、出庫した部品の員数「出庫員数」４１５、および部品を受け取った需要者の「需要者ＩＤ」４０１を含む。なお、一の需要家は他の需要家（需要家ＩＤの異なる需要家）のデータが閲覧できないように設定しておくのが望ましい。
【００２５】
なお、図２に示す在庫管理サーバ装置内の検索抽出プログラム部１１は、需用者端末２から予備品の在庫の有無の問い合わせがあったとき、部品仕様検索手段１１１は、問い合わせのあった「部品ＩＤ」４０５に基づいて、部品名データベース１２３及び製造者データベース１２２を検索して、問合せのあった部品の情報を検索抽出する。
【００２６】
また、互換品検索手段１１２は、また、「部品ＩＤ」４０５に基づいて、互換品データベース１２４、部品名データベース１２３、及び製造者データベース１２２を検索し、問合せのあった部品と互換性のある部品の情報を検索抽出する。
【００２７】
また、在庫品検索手段１１３は、前記「部品ＩＤ」４０５に基づいて、在庫品データ  ベース１２５、部品名データベース１２３を検索し、問合せのあった部品の在庫員数の情報を検索抽出する。
【００２８】
出庫履歴検索手段１１４は、前記「部品ＩＤ」４０５に基づいて、出庫履歴データベース１２６、在庫データベース１２５、及び部品データベース１２３を検索し、問合せのあった部品の過去の出庫履歴を検索抽出する。
【００２９】
図４は、在庫管理サーバ装置と需要者端末２がネットワーク３を介して行う処理の手順を示すフロー図である。
【００３０】
まず、需要者は需要者端末２を介して、必要とする予備品の部品型式を入力する。この入力情報は、ネットワーク３を通じて、在庫管理サーバ装置１の需要者インタフェース部１３２に伝達される（Ｓｌ）。
【００３１】
在庫管理サーバ装置１のインタフェース部１３２を介して前記入力された予備品の部品型式を受け取った部品仕様検索手段１１１は、部品名データベース１２３を検索して、問合せ部品の部品型式４０６に該当する部品ＩＤ４０５を抽出する（Ｓ２）。
【００３２】
次に、互換品検索手段１１２は、互換品データベース１２４を検索して、前記問合せ部品の部品ＩＤ４０５に基づいて、互換品の部品ＩＤ４０８、改造要否４０９、改造説明書ＩＤ４１０を抽出する（Ｓ３）。なお、ひとつの部品に対し複数の互換品が関連付けられて登録されている場合には、複数の互換品の部品ＩＤが抽出される。
【００３３】
次に、部品仕様検索手段１１１は、部品名データベース１２３及び製造者名データベース１２２より、問合せの部品及びその互換品の部品ＩＤ４０５に基づいて、製造者名４０４、部品型式４０６、仕様書ＩＤ４０７を抽出する（Ｓ４）。部品仕様については仕様書ＩＤ４０７のみの抽出ではなく、実際の部品仕様書の電子データをサーバ内に登録しておいて、これを抽出するようにしても良い。
【００３４】
次に、在庫品検索手段１１３は、在庫品データベース１２５を検索して、問合せの部品及びその互換品の部品ＩＤ４０５に基づいて、これらの部品に該当する在庫品の員数４１２を抽出し型式毎に合算する（Ｓ５）。
【００３５】
次に、出庫履歴検索手段１１４は、出庫履歴データベース１２６を検索して、問合せの部品及びその互換品の部品の部品単価４１３、出庫日４１４、出庫員数４１５を抽出する。
【００３６】
次に推定提供期間計算部１３３はこれらの情報と（Ｓ５）で得られた現在の在庫品の員数４１２を基に推定提供可能期間を算出する（Ｓ６）。
【００３７】
推定提供期間計算部１３３による推定提供期間の算出の例としては、過去１年間の出庫員数の合計を年間推定出庫数とし、現時点の在庫数をこの年間推定出庫数で除した値を推定提供期間とする等が考えられる。なお、推定提供期間の算出式としては、ある決められた演算方法によっても良いし、複数の演算方法を準備して需要者に選択させるようにしても良い。
【００３８】
次に、在庫管理サーバ装置１の需要者インタフェース部１３２は、需要者端末２に対し、ネットワーク３を通じて、問合せ品及び互換品の製造者名４０４、部品ＩＤ４０５、部品型式４０６、仕様書ＩＤ４０７、改造要否４０９、改造説明書ＩＤ４１０、員数４１２、部品単価４１３、及び推定提供可能期間を含む回答情報を送信する（Ｓ７）。
【００３９】
在庫管理サーバ装置１より回答情報を受信した需要者端末２は、回答情報を需要者に対し提示する。需要者への提供情報には、各部品の在庫員数、価格、推定提供可能期間などが含まれており、需要者が適切な判断を下すことの助けとなる。
【００４０】
前述の情報を得た需要者は、予備品の出庫を希望するならば、出庫する部品のＩＤ及び必要員数を需要者端末２に入力する。入力されたＩＤ及び員数の情報は、ネットワーク３を通じて在庫管理サーバ装置１の需要者インタフェース部１３２を経由し記録管理部１３４に伝達される（Ｓ８）。
【００４１】
記録管理部１３４は前記入力に基づき在庫データベース１２５の当該部品ＩＤ及び員数を修正し、かつ出庫履歴データベース１２６に前記入力の部品ＩＤ４０５、出庫日４１４、出庫員数４１５、需要家ＩＤ４０１を追加してデータベースの内容を更新する（Ｓ９）。
【００４２】
以上説明したように、在庫管理サーバ装置は、データベースに格納している在庫数と過去の出庫履歴をもとにして、将来どの程度の期間に渡り部品の提供が可能であるかを推定し、需要者からの問合せに対して在庫数及び推定提供可能期間を回答する機能を備える。
【００４３】
また、在庫管理サーバ装置は、需要者端末を通じた需要者から問合せに対して、過去の取引個数の履歴を提供する機能を備える。また、在庫管理サーバ装置は、需要者端末を通じた需要者からの問合せに対し、問合せ型式（ＩＤ）の部品の互換品に関する情報を提供する機能を備える。
【００４４】
このように、予備品を必要とする需要者は予備品の在庫状況を確認することができる。かつ、予備品の現在までの出庫履歴、推定提供期間の情報を入手することにより、特に製造中止となり今後の入手困難となることが懸念されることとなる予備品について、必要となる情報を入手することができ、今後の保守計画に反映し装置の稼動率の向上に役立てることができる。 また、需要者は、入手が将来困難となると予想される予備晶の在庫情報を、互換性のある部品を含めて、将来どの程度の期間に渡り入手可能であるのかの推測情報を知ることができ、装置の長期保守計画の策定において役立てることができる。
【図面の簡単な説明】
【００４５】
【図１】本実施形態にかかる在庫管理システムを説明する図である。
【図２】在庫管理サーバ１の詳細を説明する図である。
【図３】各データベースのデータの形式を示した構成図である。
【図４】在庫管理サーバ装置と需要者端末がネットワークを介して行う処理の手順を示す図である。
【符号の説明】
【００４６】
１  予備品在庫管理サーバ装置
２  需要者端末
３  ネットワーク
１１  検索抽出プログラム部
１１１  部品仕様検索手段
１１２  互換品検索手段
１１３  在庫品検索手段
１１４  出庫履歴検索手段
１２  データベース部
１２１  需要者名データベース
１２２  製造者名データベース
１２３  部品名データベース
１２４  互換品データベース
１２５  在庫品データベース
１２６  出庫履歴データベース
１３  登録演算処理部
１３１  情報登録部
１３２  需要者インタフェース部
１３３  推定提供可能期間計算部
【図１】
2010134750.tif 000003
【図２】
2010134750.tif 000004
【図３】
2010134750.tif 000005
【図４】
2010134750.tif 000006